(57)【要約】      （修正有）【課題】結線確認装置において、１つの配線端子に複数の回路の片側が共通に接続されていても誤結線を判定可能及び結線の接触が十分か否かを判定可能とする。【解決手段】テストスイッチに挿抜可能なテストプラグとテストプラグに電気的に接続される結線確認報知手段８を備え、テストプラグは、ＷＨＭ側に複数の接続プラグ１３、ＶＣＴ側に複数の電源側接続プラグ１４を有し、結線確認報知手段８は、計測部１９、制御部２０、出力部２１、切替部２２及び電源側切替部２３を有している。制御部２０は切替部２２の複数のスイッチ２４を制御し、複数の接続プラグ１３から２つを順次選択して計測部１９のプラス端子とマイナス端子に接続する。出力部２１は計測部１９で測定されたインピーダンスと制御部２０のオンオフに関する情報に基づいて、ＷＨＭとテストスイッチとの結線状態について報知する。【選択図】図３
2020012672.tif 000002
【特許請求の範囲】
【請求項１】
電気機器が有する複数の機器端子と結線される複数の機器用端子及び電源装置が有する複数の電源端子と結線される複数の電源用端子を備えているテストスイッチに嵌合させ、前記電源装置への送電前に使用する結線確認装置であって、
電気的接続状態にある前記複数の機器用端子と前記複数の電源用端子を、前記テストスイッチに嵌合させることにより電気的に切り離すテストプラグと、該テストプラグの一方の面に配置され、前記テストスイッチに嵌合させた時に、前記複数の機器用端子と各々電気的に接続される複数の接続プラグと、前記複数の機器端子と前記複数の機器用端子との結線状態を確認し、結線状態が正しいか否かを報知する結線確認報知手段を備え、
該結線確認報知手段は、複数のスイッチを有する切替部と、プラス端子及びマイナス端子を有しプラス端子とマイナス端子間に接続される回路のインピーダンスを測定する計測部と、前記複数のスイッチのオンオフを制御する制御部と、前記計測部で測定されたインピーダンスに関する情報及び前記制御部のオンオフに関する情報に基づいて前記複数の機器端子と前記複数の機器用端子との結線が正しいか否かを報知する出力部を有しており、
前記複数の接続プラグの一部又は全部と前記複数のスイッチの一端は各々電気的に接続され、前記複数のスイッチの他端は各々前記プラス端子又は前記マイナス端子と電気的に接続されている
ことを特徴とする結線確認装置。
【請求項２】
前記テストプラグの他方の面に配置され、前記テストスイッチに嵌合させた時に、前記複数の電源用端子と各々電気的に接続される複数の電源側接続プラグと、複数の電源側スイッチを有する電源側切替部をさらに備え、
前記複数の電源側接続プラグの一部又は全部と前記複数の電源側スイッチの一端は各々電気的に接続され、前記複数の電源側スイッチの他端は各々前記プラス端子又は前記マイナス端子と電気的に接続されており、
前記制御部は、前記複数の電源側スイッチのオンオフも制御し、
前記出力部は、前記計測部で測定されたインピーダンスに関する情報及び前記制御部のオンオフに関する情報に基づいて前記複数の電源端子と前記複数の電源用端子との結線が正しいか否かも報知する
ことを特徴とする請求項１に記載の結線確認装置。
【請求項３】
前記複数の接続プラグと前記複数のスイッチの一端との間又は前記複数の電源側接続プラグと前記複数の電源側スイッチの一端との間に、ダミー抵抗、ダミーインダクター及びダミーキャパシターのいずれかを選択的に接続可能である
ことを特徴とする請求項１又は２に記載の結線確認装置。
【発明の詳細な説明】
【技術分野】
【０００１】
この発明は、各種の電気機器の設置工事を完了した後、送電前に配線状態の健全性を確認することができる結線確認装置に関するものであり、特に、計器用変圧変流器（Voltage and Current Transformer：以下「ＶＣＴ」という。）及び電力量計（Watt‐Hour Meter：以下「ＷＨＭ」という。）の設置工事を完了した後、送電の前に好適に利用される結線確認装置に関する。
【背景技術】
【０００２】
ＶＣＴとＷＨＭ間の電圧端子と電流端子とが正しく結線されていなければ正常に電力量を測定できないことを考慮して、送電を行った後の活線状態において結線確認を行う技術は、例えば、特許文献１（特開２０００−１６２２９９号公報）、特許文献２（特開２００７−２９２５８１号公報）及び特許文献３（特開２０１５−１６９５２６号公報）に開示されているように、従来様々な提案がなされている。
しかし、ＶＣＴとＷＨＭ間の電圧端子と電流端子との接続を混線させた配線ミスを生じた場合、ＶＣＴの変圧器の二次側端子（二次側巻線）の短絡又は変流器の二次側端子(二次側巻線)の開放となることがあり、送電を行うことによって、焼損事故及び電力供給支障など重大な事故に至る恐れがあった。
【０００３】
また、特許文献４（特開平１０−１０４３０６号公報）に記載されているように、制御装置などの改造や新設工事に当たり、制御盤又は中継盤からの外部配線接続が適切に実施されているかを電源投入前に確認するための電気配線チェック装置も提案されている（特に、請求項１〜３及び段落０００１を参照）。
この電気配線チェック装置では、指定された配線端子に対して、マルチプレクサ１２が電圧発生器１３からパルス状の電圧を印加し、また、マルチプレクサ１２により信号検出変換器１４が端子板３の各端子に順次接続される。
そして、端子板３の全ての端子の中で印加パルス信号の戻ってくる端子と戻って来ない端子が、照合及び判定１５で識別されるようになっている（特に、図２及び段落０００７、０００８を参照）。
【先行技術文献】
【特許文献】
【０００４】
【特許文献１】特開２０００−１６２２９９号公報
【特許文献２】特開２００７−２９２５８１号公報
【特許文献３】特開２０１５−１６９５２６号公報
【特許文献４】特開平１０−１０４３０６号公報
【発明の概要】
【発明が解決しようとする課題】
【０００５】
しかし、特許文献４に記載されている電気配線チェック装置は、独立した閉回路を前提としており、指定された配線端子にパルス状の電圧を印加した時、どの端子に印加パルス信号が戻ってきたかによって、結線が正しいか否かを判定するようになっている。
そのため、指定された配線端子に複数の回路の片側が共通に接続されている場合には、誤結線があっても判定できず、結線の接触が十分か否か（配線中に高抵抗部が生じていないか）を判定することもできない。
本発明は、このような問題を解決し、指定された配線端子に複数の回路の片側が共通に接続されていても誤結線を判定できるようにするとともに、結線の接触が十分か否か、変圧器の二次短絡や変流器の二次開放の有無を判定できるようにすることを目的とする。
【課題を解決するための手段】
【０００６】
請求項１に係る発明の結線確認装置は、電気機器が有する複数の機器端子と結線される複数の機器用端子及び電源装置が有する複数の電源端子と結線される複数の電源用端子を備えているテストスイッチに嵌合させ、前記電源装置への送電前に使用する結線確認装置であって、
電気的接続状態にある前記複数の機器用端子と前記複数の電源用端子を、前記テストスイッチに嵌合させることにより電気的に切り離すテストプラグと、該テストプラグの一方の面に配置され、前記テストスイッチに嵌合させた時に、前記複数の機器用端子と各々電気的に接続される複数の接続プラグと、前記複数の機器端子と前記複数の機器用端子との結線状態を確認し、結線状態が正しいか否かを報知する結線確認報知手段を備え、
該結線確認報知手段は、複数のスイッチを有する切替部と、プラス端子及びマイナス端子を有しプラス端子とマイナス端子間に接続される回路のインピーダンスを測定する計測部と、前記複数のスイッチのオンオフを制御する制御部と、前記計測部で測定されたインピーダンスに関する情報及び前記制御部のオンオフに関する情報に基づいて前記複数の機器端子と前記複数の機器用端子との結線が正しいか否かを報知する出力部を有しており、
前記複数の接続プラグの一部又は全部と前記複数のスイッチの一端は各々電気的に接続され、前記複数のスイッチの他端は各々前記プラス端子又は前記マイナス端子と電気的に接続されていることを特徴とする。
【０００７】
請求項２に係る発明の結線確認装置は、請求項１に係る発明の結線確認装置において、
前記テストプラグの他方の面に配置され、前記テストスイッチに嵌合させた時に、前記複数の電源用端子と各々電気的に接続される複数の電源側接続プラグと、複数の電源側スイッチを有する電源側切替部をさらに備え、
前記複数の電源側接続プラグの一部又は全部と前記複数の電源側スイッチの一端は各々電気的に接続され、前記複数の電源側スイッチの他端は各々前記プラス端子又は前記マイナス端子と電気的に接続されており、
前記制御部は、前記複数の電源側スイッチのオンオフも制御し、
前記出力部は、前記計測部で測定されたインピーダンスに関する情報及び前記制御部のオンオフに関する情報に基づいて前記複数の電源端子と前記複数の電源用端子との結線が正しいか否かも報知することを特徴とする。
【０００８】
請求項３に係る発明の結線確認装置は、請求項１又は２に係る発明の結線確認装置において、
前記複数の接続プラグと前記複数のスイッチの一端との間又は前記複数の電源側接続プラグと前記複数の電源側スイッチの一端との間に、ダミー抵抗、ダミーインダクター及びダミーキャパシターのいずれかを選択的に接続可能であることを特徴とする。
【発明の効果】
【０００９】
請求項１に係る発明の結線確認装置によれば、制御部により複数のスイッチのオンオフを制御することにより、選択的に複数の機器用端子の二つを計測部のプラス端子とマイナス端子に接続して、プラス端子とマイナス端子間に接続される電気機器の回路のインピーダンスを測定することができる。
そして、計測部で測定されたインピーダンスに関する情報及び制御部のオンオフに関する情報に基づいて、複数の機器端子と複数の機器用端子との結線が正しいか否かを報知するので、複数の機器端子と複数の機器用端子との結線状態について、送電前に容易かつ迅速に確認することができる。
また、選択した機器用端子に電気機器の複数の回路の片側が共通に接続されていたとしても、それらの回路のインピーダンスが異なっていれば、結線が正しいか否かについて判定し報知することができる。
そのため、送電前の確認作業におけるヒューマンエラー対策を拡充できる。
【００１０】
請求項２に係る発明の結線確認装置によれば、請求項１に係る発明の結線確認装置による効果に加え、複数の電源端子と複数の電源用端子との結線状態についても、送電前に容易かつ迅速に確認することができ、また、選択した電源用端子に電源装置の複数の回路の片側が共通に接続されていたとしても、それらの回路のインピーダンスが異なっていれば、結線が正しいか否かについて判定し報知することができる。
【００１１】
請求項３に係る発明の結線確認装置によれば、請求項１又は２に係る発明の結線確認装置による効果に加え、選択した機器用端子に電気機器の複数の回路又は選択した電源用端子に電源装置の複数の回路の片側が共通に接続され、かつ、共通に接続された複数の回路が同じインピーダンスであっても、複数の機器端子と複数の機器用端子との結線又は複数の電源端子と複数の電源用端子との結線について、誤結線及び結線の接触が十分か否かについて報知することができる。
【図面の簡単な説明】
【００１２】
【図１】結線確認装置の現場での使用概要を示す図。
【図２】ＶＣＴ１及びＷＨＭ３とテストスイッチ２との正常な結線状態を示す図。
【図３】テストプラグ５及び結線確認報知手段８の構成を示す図。
【図４】テストプラグ５及び結線確認報知手段８の変形例の構成を示す図。
【図５】切替部のその他の変形例についての構成を示す図。
【発明を実施するための形態】
【００１３】
以下、実施例によって本発明の実施形態を説明する。
【実施例１】
【００１４】
図１は実施例１の結線確認装置の現場での使用概要を示す図である。
実施例１の結線確認装置は、ＶＣＴ１とテストスイッチ２との結線状態及びＷＨＭ３とテストスイッチ２との結線状態を確認するために使用されるものである。
図１及び図２に示すように、ＶＣＴ１は、電源側から配電線路４を介して配電される高電圧を低電圧に変成するＶＴ（計器用変圧器）と大電流を小電流に変成するＣＴ（計器用変流器）とからなっており、ＷＨＭ３は、ＶＣＴ１を経由して需要家の負荷に供給される電力量を測定するためのものである。
なお、図２では便宜上、図１では上側にあるＶＣＴ１を下側に描いてある。
【００１５】
テストスイッチ２は、図１及び図２に示すように、ＷＨＭ３の交換作業を無停電で行うために、ＶＣＴ１とＷＨＭ３との間に配置される。
また、テストスイッチ２は、テストプラグ５を挿抜可能なものとなっており、ＶＣＴ１に接続される複数の電源用端子９（1S,P1,P3,3S,3L,P2,1L）と、ＷＨＭ３に接続される複数の機器用端子１０（1S,P1,P3,3S,3L,P2,1L）とが、挿入口の上面及び下面に相対向して配設されている。
そして、複数の電源用端子９と複数の機器用端子１０は、テストプラグ５未挿入時においては電気的に接続され、テストプラグ５の挿入により電気的に切り離されるようになっている。
さらに、ＶＣＴ１に設けてある複数の電源端子１１（1S,P1,P3,3S,3L,P2,1L）とテストスイッチ２に設けてある複数の電源用端子９は６本の電線６で接続され、ＷＨＭ３に設けてある複数の機器端子１２（1S,P1,P3,3S,3L,P2,1L）とテストスイッチ２に設けてある複数の機器用端子１０は７本の電線７で接続される。
詳細は後述するが、実施例１の結線確認装置は、テストプラグ５をテストスイッチ２に嵌合させた状態で使用され、テストプラグ５には結線確認報知手段８が接続されている。
【００１６】
図２に示すように、テストスイッチ２の電源用端子９のうち3Lと1Lとの間にはショートバーが接続されているが、６本の電線６及び７本の電線７を接続する作業時に、このショートバーを誤って取り外してしまうことが誤結線要因の１つである。
また、ＶＣＴ１に設けてある複数の電源端子１１（1S,P1,P3,3S,3L,P2,1L）とテストスイッチ２に設けてある複数の電源用端子９との接続を、６本の電線６を用いて行う場合は3L-1Lにショートバーを取り付けた状態が正規であるが、６本の電線６に代えて７本の電線で接続する場合もあり、そうした場合には3L-1Lのショートバーを取り外した状態が正規となる。この作業の違いにより作業者がショートバーを取り外し忘れてしまうことも誤結線要因の１つである。
さらに、図２（Ｂ）に示すように、ＶＣＴ１の電源側及び負荷側が逆相接続の場合は、テストスイッチ２の複数の電源用端子９のうちP1とP3に接続しているケーブルを入れ替え、1Sと3Sに接続しているケーブルを入れ替えて、ＷＨＭ３に接続される電圧相回転が正相順となるように接続するが、テストスイッチ２の複数の電源用端子９の色の並びが図２（Ａ）に示す正相接続とは異なるため、作業者が誤って接続してしまうことが誤結線要因の１つである。
【００１７】
それから、各端子を接続する６本の電線６及び７本の電線７は、端子の種類毎に被覆色を分けている場合と、被覆色が分けられていない場合がある。
また、電線接続先の電源端子１１及び機器端子１２にも端子の種類の記号並びに識別色の表示がある。
そして、被覆色を分けている場合は同じ色の端子を７本の電線７で接続するだけにもかかわらず、作業者の慣れや思い込みなどのヒューマンエラーに起因して、誤結線しているケースも発生しており、被覆色が分けられていない場合には、作業者が結線を誤ってしまう確率はずっと高くなる。
また、１つのＶＣＴ１に２つのＷＨＭを接続することもあり、そうした場合にはテストスイッチを２つ増設し３つのテストスイッチを指示通りに接続することが必要となる。
そして、増設した２つのテストスイッチの電源用端子3L同士を接続する電線と1L同士を接続する電線は色分けされていないため、これらの端子を間違えて接続することが誤結線要因の１つとなっている。
【００１８】
テストプラグ５は、図３（Ａ）に示すように、上面（ＷＨＭ側）に複数の接続プラグ１３（1S,P1,P3,3S,3L,P2,1L）がテストスイッチ２の複数の機器用端子１０に対応する位置に配設され、図３（Ｂ）に示すように、下面（ＶＣＴ側）に複数の電源側接続プラグ１４（1S,P1,P3,3S,3L,P2,1L）がテストスイッチ２の複数の電源用端子９に対応する位置に配設される。
なお、テストプラグ５はテストスイッチ２と嵌合する向きが固定される機構（逆向きでは挿入できない機構）となっているので、作業者が向きを誤って使用することはない。
【００１９】
結線確認装置は、図３に示すように、テストプラグ５の複数の接続プラグ１３と結線確認報知手段８に設けられた複数の接続端子１５（1S,P1,P3,3S,3L,P2,1L）を、それぞれ対応させて複数の接続線１６で接続するとともに、テストプラグ５の複数の電源側接続プラグ１４と結線確認報知手段８に設けられた複数の電源側接続端子１７（1S,P1,P3,3S,3L,P2,1L）をそれぞれ対応させて複数の電源側接続線１８で接続して構成される。
そして、テストプラグ５と結線確認報知手段８との接続は、運搬や保管時の利便性を高めるために、コネクタを用いて行えるようにしても良い。
そうした場合、コネクタは結線確認報知手段８の適宜の箇所に別々に設けても良いが、テストスイッチ２と同様に、挿入口の上面及び下面に相対向して複数の接続端子１５及び複数の電源側接続端子１７を設けたものとするとともに、複数の接続線１６及び複数の電源側接続線１８の一端に、上下面に複数の接続用プラグを有するコネクタプラグを設け、コネクタプラグを挿入口に嵌合させるだけで接続できるようにするとより良い。
また、その場合、複数の接続端子１５と複数の電源側接続端子１７には別形状のコネクタプラグを用い、誤挿入を防止する機構とするとさらに良い。
【００２０】
結線確認報知手段８は、図３に示すように、計測部１９、制御部２０及び出力部２１を有するとともに、複数の接続端子１５と計測部１９との間に配置される切替部２２、複数の電源側接続端子１７と計測部１９との間に配置される電源側切替部２３を有している。
計測部１９は、プラス端子とマイナス端子を備え、プラス端子とマイナス端子間のインピーダンス（インダクタンス、キャパシタンス及びレジスタンス）を測定できる。
そして、プラス端子は、切替部２２の４つのスイッチ及び電源側切替部２３の５つのスイッチを介して、それぞれ複数の接続端子１５のうちの４つの端子（1S,P1,P3,3S）及び複数の電源側接続端子１７のうちの５つの端子（1S,P1,P3,3S,3L）と接続されており、マイナス端子は、切替部２２の３つのスイッチ及び電源側切替部２３の２つのスイッチを介して、それぞれ複数の接続端子１５のうちの３つの端子（3L,P2,1L）及び複数の電源側接続端子１７のうちの２つの端子（P2,1L）と接続されている。
【００２１】
制御部２０は、切替部２２の複数のスイッチ２４及び電源側切替部２３の複数の電源側スイッチ２５を個別にオンオフ制御することができ、複数の接続端子１５のうちの４つの端子（1S,P1,P3,3S）及び複数の電源側接続端子１７のうちの５つの端子（1S,P1,P3,3S,3L）から１つの端子を選択して計測部１９のプラス端子に接続し、複数の接続端子１５のうちの３つの端子（3L,P2,1L）及び複数の電源側接続端子１７のうちの２つの端子（P2,1L）から１つの端子を選択して計測部１９のマイナス端子に接続するように制御するものである。
なお、複数の接続端子１５のうちの４つの端子（1S,P1,P3,3S）から１つの端子を選択してプラス端子に接続する時には、複数の接続端子１５のうちの３つの端子（3L,P2,1L）から１つの端子を選択してマイナス端子に接続するように制御され、複数の電源側接続端子１７のうちの５つの端子（1S,P1,P3,3S,3L）から１つの端子を選択してプラス端子に接続する時には、複数の電源側接続端子１７のうちの２つの端子（P2,1L）から１つの端子を選択してマイナス端子に接続するように制御される。
また、制御部２０は、プラス端子とマイナス端子に接続される端子を、予め決められた順番で選択制御するようになっている。
【００２２】
出力部２１は、計測部１９で測定されたインピーダンスに関する情報と制御部２０のオンオフに関する情報に基づいて、制御部２０で選択された２つの接続端子又は電源側接続端子について、結線が正しく十分になされている時に測定されるべきインピーダンスと測定されたインピーダンスとを比較して、選択された２つの接続端子又は電源側接続端子における結線が正しいか否か及び十分か否かを判定し、順次選択された２つの接続端子又は電源側接続端子における結線が正しいか否か及び十分か否かの判定結果を総合して、ＷＨＭ３の複数の機器端子１２とテストスイッチ２の複数の機器用端子１０との結線状態及びＶＣＴ１の複数の電源端子１１とテストスイッチ２の複数の電源用端子９との結線状態について液晶表示器、ランプ及びブザーを用いて報知するものである。
なお、判定結果についての報知は、液晶表示器又はランプのみで行っても良く、プリンタでの紙出力や通信手段を用いてパソコン等へ出力によって行っても良い。
【００２３】
実施例１の結線確認報知手段８における誤結線の識別方法について説明する。
（１）接続先を確認する複数の電源端子１１、６本の電線６及び複数の電源用端子９について、複数の回路の片側が共通に接続されている端子（以下「共通端子」という。）と共通に接続されていない端子（以下「回路端子」という。）を識別する。
そのために、全ての配線端子間のインピーダンスを測定、記憶し、測定したインピーダンスの大小関係を比較する。
例えば、インダクタンス又は抵抗を測定する場合であれば、共通端子と回路端子間の測定値は回路単独の値であり、回路端子と回路端子間の測定値は介在する回路を直列合成した値となることから、共通端子を特定することが可能である。また、共通端子が複数ある場合は、測定値が最も低い測定点の端子を共通端子であると特定できる。
そして、共通端子を特定できれば、共通端子と回路端子の誤接続を判断することができ、また、共通端子を基準とした回路単独の計測値を得ることが可能となる。
さらに、回路端子相互の誤接続は、事前に接続されるべき端子と接続される複数の回路のインピーダンスを関連付けておき、測定したインピーダンスが事前に関連付けられたインピーダンスの範囲（しきい値）内であれば異常なしと判断し、範囲外であれば異常ありと判断して、変圧器の二次短絡や変流器の二次開放に至る誤結線を識別する。
【００２４】
（２）テストスイッチ２の電源用端子９のうち3Lと1Lとの間に接続されているショートバーを誤って取り外してしまう誤結線の場合には、電源用端子９の3L-1L間に回路が構成されず開放状態となることから、事前に、短絡されている場合（ショートバー有り）と開放されている場合（ショートバー無し）について、インピーダンスの範囲（しきい値）を設定しておけば識別することができる。
（３）上記（２）の誤結線であって、６本の電線６の箇所を７本の電線で接続する場合においては、テストスイッチ２の電源用端子９の3L-1Lにショートバーが無い状態でもＶＣＴ１の電源端子１１の3L-P2-1L間にショートバーが設置されているため、６本の電線で接続する場合とは異なり開放状態とならない。
そのため、回路構成上のＶＣＴ１とテストスイッチ２の間に接続する６本の電線６の長さ分のインダクタンスの違いを元に、６本の電線６を使用している時と同じく、事前にインピーダンスに関する情報を元にインピーダンスの範囲（しきい値）を設定しておけばショートバーの無い状態を識別することができる。
なお、この識別方法では、６本の電線６の長さが非常に短い場合には識別できなくなるおそれもあるが、通常はＶＣＴ１とテストスイッチ２の標準的な設置位置関係から導き出される６本の電線６の長さに基づいてインピーダンスの範囲（しきい値）を設定できるので、ショートバーの無い状態の識別は可能である。
【実施例２】
【００２５】
図４は、実施例２の結線確認装置におけるテストプラグ５及び結線確認報知手段８を示す図である。
なお、実施例２の結線確認装置の現場での使用概要、ＶＣＴ１とテストスイッチ２との正常な結線状態及びＷＨＭ３とテストスイッチ２との正常な結線状態は、実施例１と同様図１、２で示されるので、実施例２の使用概要や正常な結線状態等については説明を省略する。
また、テストプラグ５、複数の接続端子１５、複数の電源側接続端子１７、複数の接続線１６、複数の電源側接続線１８、計測部１９、制御部２０及び出力部２１についても、図３に示す実施例１と同様であるので、説明を省略するとともに同じ番号を用いる。
【００２６】
実施例２の結線確認装置が実施例１の結線確認装置と異なるところは、切替部２６が複数の接続端子１５全部に対応する複数のスイッチ２８を備えている点、電源側切替部２７が複数の電源側接続端子１７全部に対応する複数の電源側スイッチ２９を備えている点、及び各スイッチ及び電源側スイッチが複数の接続端子１５及び複数の電源側接続端子１７をプラス端子及びマイナス端子のいずれにも選択的に接続できるようになっている点である。
そして、実施例２の結線確認装置によれば、複数の接続端子１５から任意の２つを選択してプラス端子とマイナス端子に接続でき、また、複数の電源側接続端子１７から任意の２つを選択してプラス端子とマイナス端子に接続できる。
そのため、計測部１９を用いて全ての２端子間のインピーダンスを測定することができるので、ＶＣＴ１やＷＨＭ３に限らず、様々な電気機器について、テストスイッチ２と電気機器との結線が正しいか否か及び十分か否かを自由に判定することができる。
【００２７】
実施例１及び実施例２の結線確認装置に関する変形例を列記する。
（１）実施例１及び実施例２の結線確認装置は、ＶＣＴ１とＷＨＭ３との間にテストスイッチ２を備えるものであったが、ＶＣＴ１とＷＨＭ３に限らず、適宜の電気機器と電源装置との間にテストスイッチを備えるものに対しても適用可能である。
（２）実施例１及び実施例２の結線確認装置は、ＶＣＴ１の複数の電源端子１１とテストスイッチ２の複数の電源用端子９との結線が正しいか否か及び十分か否かを判定するとともに、ＷＨＭ３の複数の機器端子１２とテストスイッチ２の複数の機器用端子１０との結線が正しいか否か及び十分か否かを判定し、判定結果を報知するものであったが、結線が正しいか否かだけを判定し、その判定結果について報知するものとしても良い。
【００２８】
（３）実施例１及び実施例２の結線確認装置は、テストプラグ５上面（ＷＨＭ側）及び下面（ＶＣＴ側）に、それぞれ複数の接続プラグ１３及び複数の電源側接続プラグ１４が配設され、複数の接続プラグ１３は複数の接続端子１５と接続され、複数の電源側接続プラグ１４は複数の電源側接続端子１７と接続されていたが、いずれか一方の結線状態を確認するだけで良ければ、複数の接続プラグ１３及び複数の電源側接続プラグ１４のいずれか一方だけを配設し、複数の接続端子１５及び複数の電源側接続端子１７のいずれか一方だけを設けて、それらを複数の接続線１６又は複数の電源側接続線１８で接続するとともに、切替部２２、２４及び電源側切替部２３、２５の一方は省略しても良い。
（４）実施例１及び実施例２の結線確認装置において、複数の接続プラグ１３と複数のスイッチ２４、２８との間の複数の接続線１６の全部又は一部に、ダミー抵抗、ダミーインダクター及びダミーキャパシターのいずれかを接続しても良く、また、複数の電源側接続プラグ１４と複数の電源側スイッチ２５、２９との間の複数の電源側接続線１８の全部又は一部に、ダミー抵抗、ダミーインダクター及びダミーキャパシターのいずれかを接続しても良い。
そうすることにより、複数の電源側接続端子１７のうちの１つの端子にＶＣＴ１の複数の回路の片側が共通に接続され、かつ、共通に接続された複数の回路が同じインピーダンスであっても、ＶＣＴ１の複数の電源端子１１とテストスイッチ２の複数の電源用端子９との結線が正しいか否か及び十分か否かについて判定し報知することができ、また、複数の接続端子１５のうちの１つの端子にＷＨＭ３の複数の回路の片側が共通に接続され、かつ、共通に接続された複数の回路が同じインピーダンスであっても、ＷＨＭ３の複数の機器端子１２とテストスイッチ２の複数の機器用端子１０との結線が正しいか否か及び十分か否かについて判定し報知することができる。
【００２９】
（５）実施例１又は実施例２の切替部２２、２４に代えて、図５（Ａ）又は図５（Ｂ）に示す切替部としても良い。
なお、図５（Ａ）に示す切替部３０は、複数の機器端子１２のうち1Lをマイナス端子に接続し、1S,P1,P3,3S,3L,P2のうちのいずれか１つをプラス端子に接続すればインピーダンスを測定できる場合に有効であり、図５（Ｂ）に示す切替部３１は、複数の機器端子１２のうち3L,P2,1Lのいずれかを計測部１９のマイナス端子に接続し、1S,P1,P3,3Sのうちのいずれか１つをプラス端子に接続すればインピーダンスを測定できる場合に有効である。
このように、切替部及び電源側切替部の複数のスイッチの態様は、結線状態を確認する電気機器や電源装置の回路構成に応じて適宜変更することができる。
すなわち、複数の接続プラグ１３の一部又は全部と複数のスイッチの一端は各々電気的に接続され、複数のスイッチの他端は各々プラス端子又はマイナス端子と電気的に接続されていれば良いということができ、また、複数の電源側接続プラグ１４の一部又は全部と複数の電源側スイッチの一端は各々電気的に接続され、複数の電源側スイッチの他端は各々プラス端子又はマイナス端子と電気的に接続されていれば良いということができる。
【符号の説明】
【００３０】
１  計器用変圧変流器（ＶＣＴ）      ２  テストスイッチ
３  電力量計（ＷＨＭ）      ４  配電線路      ５  テストプラグ
６  ６本の電線      ７  ７本の電線      ８  結線確認報知手段
９  複数の電源用端子      １０  複数の機器用端子      １１  複数の電源端子
１２  複数の機器端子      １３  複数の接続プラグ
１４  複数の電源側接続プラグ      １５  複数の接続端子
１６  複数の接続線      １７  複数の電源側接続端子
１８  複数の電源側接続線      １９  計測部      ２０  制御部
２１  出力部      ２２  切替部      ２３  電源側切替部
２４  複数のスイッチ      ２５  複数の電源側スイッチ
２６  切替部      ２７  電源側切替部
２８  複数のスイッチ      ２９  複数の電源側スイッチ
ＣＴ    計器用変流器          ＶＴ    計器用変圧器
ＶＣＴ  計器用変圧変流器      ＷＨＭ  電力量計
【図１】
2020012672.tif 000003
【図２】
2020012672.tif 000004
【図３】
2020012672.tif 000005
【図４】
2020012672.tif 000006
【図５】
2020012672.tif 000007